(57)【要約】【課題】  蓋部の開閉が、常時容易であり、強引な操作が行えず、損傷することの無い彫刻刀収納容器を提供する。【解決手段】  容器２と蓋３とで構成され、容器２は厚みの薄い略箱状部材であり、開口部２ｂの両端から側辺方向へ延出して支持部２ａが形成され、支持部２ａの元部に係止部材４が往復動可能に設けられ、蓋３は容器２の支持部２ａ間に容易に挿入配置可能な略板状部材であり、支持部２ａの先端部間に位置する箇所に筒状部３ａが形成され、蓋３の筒状部３ａが容器の支持部２ａの先端部間に回転支持され、筒状部３ａにコイルスプリング７が挿入されてその内部側端部を内部係止部に係止されるとともに、回転方向すなわち蓋３の開放方向へ付勢されて外部側端部を容器２の支持部２ａに係止され、蓋３の側辺部が支持部２ａの係止部材４により閉じた状態で係止可能に構成されていることを特徴とする。【選択図】  図３
0003106539.tif 000002
【実用新案登録請求の範囲】
【請求項１】
容器（２）と蓋（３）とで構成され、容器（２）は複数本の彫刻刀が一面の開口部（２ｂ）から挿入されて平行に並べて収納可能な厚みの薄い略箱状部材であり、開口部（２ｂ）の両端から側辺方向へ延出して支持部（２ａ）が形成され、支持部（２ａ）の元部に係止部材（４）が往復動可能に設けられ、蓋（３）は容器（２）の支持部（２ａ）間に容易に挿入配置可能な略板状部材であり、支持部（２ａ）の先端部間に位置する箇所に円筒孔である筒状部（３ａ）が形成されるとともにその内部に固定係止部材（５）が固定して設けられ、蓋（３）が容器（２）の開口部（２ｂ）を開閉可能なように筒状部（３ａ）を容器（２）の支持部（２ａ）の先端部間に回転支持され、筒状部（３ａ）にコイルスプリング（７）が挿入されて内部側端部を固定係止部材（５）に係止されるとともに回転方向すなわち蓋（３）の開く方向へ付勢されて外部側端部を容器（２）の支持部（２ａ）に係止され、蓋（３）が側辺部に形成された係止凸部（３ｂ）を支持部（２ａ）の係止部材（４）により閉じた状態で係止可能に構成されていることを特徴とする彫刻刀収納容器。
【考案の詳細な説明】
【技術分野】
【０００１】
この考案は、工芸に使用される彫刻刀の収納容器に関し、特に、蓋の開閉を容易にする収納容器に関する。
【背景技術】
【０００２】
工芸に使用される彫刻刀は、刃先形状の異なる複数本で構成され、これ等複数本の彫刻刀は、纏めて一つの収納容器に収納されて安全に保管され、携行されている。このような彫刻刀収納容器は、通常、容器部および蓋部により構成されている（特許文献１参照）。容器部に収納された彫刻刀は、保管時あるいは携行時には蓋で覆われて安全に保管あるいは携行され、使用時には蓋が外されて使用する彫刻刀が引出されている。
【０００３】
特許文献１の［００１０］〜［００１５］および［図６］〜［図１１］において、彫刻刀収納容器（特許文献１の「収納ケース２」）は、容器部（同じく「ケース本体１０」）および蓋部（同じく「蓋部１１」）により構成されている。容器部の開口部両側面にはガイド片（同じく「ガイド片１３」）が延出して形成され、その中央長手方向にガイド孔（同じく「ガイド孔１４」）がガイド片を貫通して構成されている。
【０００４】
前記蓋部は前記容器部の開口部に嵌合する嵌合部（同じく「嵌合部１８」）と、嵌合部の両側面から延出して形成されたアーム部（同じく「アーム部１９」）とにより構成されている。さらに、アーム部の先端部内側面に突出して軸（同じく「軸２２」）が形成されている。軸は前記ガイド片のガイド孔に嵌合され、ガイド孔に沿ってスライド可能に構成されている。
【０００５】
以上のように構成された彫刻刀収納容器は以下のように使用されている。まず、収納状態から彫刻刀を使用する場合は、嵌合部が容器部の開口部に嵌合している蓋部を容器部から引離す。この操作により、アーム部の軸がガイド片のガイド孔に沿ってスライドしながら蓋部が容器部から引離される。引離されてアーム部の軸がガイド孔の先端に達した時点で、蓋部は軸を中心として下方向へ回転可能となり、回転により蓋部を折り曲げる。この操作により、容器部の開口部が開放され、収納されている彫刻刀が自由に取出し可能になる。また、折れ曲った蓋部を支持部として机上等に置くことにより、容器部の開口部が斜め上向きに開口することにより、彫刻刀の引出しが容易になる。
【０００６】
つぎに、使用後の彫刻刀を収納する場合は、取出された彫刻刀を容器部に収納し、軸を中心として蓋部を回転して折れ曲った蓋部を容器部と直線状になるように戻し、軸をガイド孔に沿ってスライドさせながら蓋部を容器部へ押し戻し、嵌合部を開口部に嵌合させて蓋部を容器部へ蓋することにより、収納状態となる。このような収納状態で、彫刻刀は安全に保管され、あるいは携行されている。
【特許文献１】実用新案登録第２５７６６９４号公報
【考案の開示】
【考案が解決しようとする課題】
【０００７】
従来の彫刻刀収納容器は以上のように構成されていたため、つぎのような課題が存在していた。すなわち、蓋部をスライドさせる場合に滑らかにスライドしない場合があった。彫刻刀収納容器のような製品は高価な精密加工製品ではない。従って、容器部の開口部両側面の延出部に構成されるスライド機構部において、スライド部材間には余裕のある適宜の隙間が設けられ、潤滑等の考慮は払われていない。このようなスライド機構部を両側に構成された彫刻刀収納容器において、蓋部を引離しあるいは押し戻しする際は、容器部と蓋部とを直線状に配置するとともに、直線状に操作する必要がある。
【０００８】
しかし、気持ちが焦っている場合あるいは安易な気持ちで蓋部を開閉しようとすると、容器部と蓋部とを直線状に配置されていない状態で操作したり、斜めに操作する場合が多々発生する。このような場合、蓋部の開閉に手間取ったり、滑らかでない状態で強引に操作して彫刻刀収納容器の一部を損傷する場合があった。
【０００９】
この考案は以上のような課題を解決するためになされたものであり、蓋部の開閉が、常時容易であり、強引な操作が行えず、損傷することの無い彫刻刀収納容器を提供することを目的とする。
【課題を解決するための手段】
【００１０】
この考案による彫刻刀収納容器は、容器と蓋とで構成され、容器は複数本の彫刻刀が一面の開口部から挿入されて平行に並べて収納可能な厚みの薄い略箱状部材であり、開口部の両端から側辺方向へ延出して支持部が形成され、支持部の元部に係止部材が往復動可能に設けられ、蓋は容器の支持部間に容易に挿入配置可能な略板状部材であり、支持部の先端部間に位置する箇所に円筒孔である筒状部が形成されるとともにその内部に固定係止部材が固定して設けられ、蓋が容器の開口部を開閉可能なように筒状部を容器の支持部の先端部間に回転支持され、筒状部にコイルスプリングが挿入されて内部側端部を固定係止部材に係止されるとともに回転方向すなわち蓋の開く方向へ付勢されて外部側端部を容器の支持部に係止され、蓋が側辺部に形成された係止凸部を支持部の係止部材により閉じた状態で係止可能に構成され、また、安全ストッパーにより、不用意に蓋が開かないよう構成されていることを特徴とする。
【考案の効果】
【００１１】
この考案による彫刻刀収納容器は以上のように構成されていることにより、以下のような効果を得ることができる。すなわち、彫刻刀収納容器は、蓋が容器の支持部の先端部間に回転支持され、蓋に装着されたコイルスプリングにより、蓋が開放される力を付勢された状態で閉じて係止される。蓋は係止部材の操作により係止状態が解除されて自動的に回転して開き、開いた状態の蓋は人手により逆に回転させて閉じた状態に戻し、係止部材で閉じた状態に係止される。
【００１２】
従って、蓋は回転により開閉が行われ、特に、開くときは自動的に開くので、開閉が容易であり、無理な開閉操作を必要とせず、彫刻刀収納容器の損傷の発生度合は極めて低くなった。
【考案を実施するための最良の形態】
【００１３】
以下、図面とともにこの考案による彫刻刀収納容器の好適な実施の形態について詳細に説明する。図１は本考案による彫刻刀収納容器を示す斜視図、図２は図１の彫刻刀収納容器を蓋の側辺に沿って切断した場合を示す側部断面図、図３は図１の蓋の一部を断面とした平面図である。
【００１４】
図１において、符号１で示すものは彫刻刀収納容器であり、彫刻刀収納容器１は、図示されていない前方面の開口部２ｂから複数本（図１の実施例では５本）の彫刻刀を平行に並べて収納可能な厚みの薄い略箱状部材の容器２、容器２の開口部２ｂの両側から前方へ延出して形成された支持部２ａの間に容易に挿入配置されて容器２の開口部２ｂを開閉可能に覆う蓋３、および容器２の一方の支持部２ａの元部に設けられて蓋３の一方の側辺部を係止する係止部材４により構成されている。
【００１５】
図２において、前記蓋３は前記支持部２ａの先端部に位置する部分の全幅に円筒孔である筒状部３ａが形成され、支持部２ａの元部に位置する部分の側辺部に係止凸部３ｂが形成され、元部の幅方向中央部に停止凸部３ｃが手前方向へ延出して形成されている。蓋３は筒状部３ａが容器２の支持部２ａの先端部間に支持され、筒状部３ａの中心を回転中心として図面に鉛直な軸の回りに回転可能に構成され、（Ａ）は図１に示す蓋３が閉じた状態であり、（Ｂ）は蓋３開いた状態を示している。
【００１６】
図３において、前記蓋３の筒状部３ａには、筒状部３ａ内に固定されている固定係止部材５、および、コイルスプリング７を内挿されて筒状部３ａ内へ回転可能に挿入された筒状の付勢筒６により構成される付勢構成部材が装着されている。
【００１７】
前記固定係止部材５は、前記コイルスプリング７の受け座５ａおよびコイルスプリング７より小径の短円筒を十字に切欠いた係止突起５ｂが前記筒状部３ａの横断面上に形成されている。前記付勢筒６は、その内部先端を固定係止部材５へ当接させた状態で後端部（後述の付勢突起６ｃを除く）が筒状部３ａの開口端から突出しない長さの筒状部材であり、開口端に位置する部分において、内側にコイルスプリング７の受け座６ａ、コイルスプリング７より小径の短円筒を十字に切欠いた係止突起６ｂおよび外側に短円筒を十字に切欠いた付勢突起６ｃが付勢筒６すなわち筒状部３ａの横断面上に形成されている。
【００１８】
前記コイルスプリング７はその両端が略直角に内側へ折り曲げられている。従って、前記付勢筒６に内挿されたコイルスプリング７は、付勢筒６が前記筒状部３ａに挿入され内部先端が前記固定係止部材５へ当接した状態で、先端端部が前記受け座５ａに支持されるとともにその折り曲げ部が前記係止突起５ｂの何れかの溝に嵌り込んで係止され、後端端部が前記受け座６ａに支持されるとともにその折り曲げ部が前記係止突起６ｂの何れかの溝に嵌り込んで係止される。
【００１９】
前記付勢構成部材が装着された前記蓋３は、図２に示す開いた状態（Ｂ）において、開く方向へ付勢して前記支持部２ａの先端部間に装着され、あるいは装着後付勢され、付勢状態で前記付勢突起６ｃを支持部２ａに係止される。なお、付勢操作は、付勢突起６ｃに回転力を加えて前記付勢筒６を前記蓋３に対して相対的に回転して行われ、蓋３に固定された前記固定係止部材５の係止突起５ｂに一端を係止され付勢筒６の係止突起６ｂに他端を係止された前記コイルスプリング７の両端間を歪ませ、歪応力を蓄積させることにより付勢される。
【００２０】
前記係止部材４は前記蓋３の係止凸部３ｂを嵌め込み可能な溝を形成された部材により構成されている。係止部材４は、支持部２ａの元部において、係止凸部３ｂを嵌め込む位置と蓋３の側辺に対し直角方向あるいは平行方向の少なくとも係止凸部３ｂの嵌め込み状態を解除可能な距離の位置とを往復移動可能に前記支持部２ａに装着され、常時係止凸部３ｂを嵌め込む位置にあるように付勢されている。また、安全ストッパー４ａは、支持部２ａの元部に設けられ、係止部材４の往復移動を阻止するよう構成したものである。
【００２１】
以上のように構成された彫刻刀収納容器１は以下のように使用される。まず、図２の（Ｂ）の位置において開く方向に付勢された状態で容器２の支持部２ａの先端部間に回転可能に装着され蓋３を閉じる方向へ、すなわち図２では（Ａ）の位置まで反時計方向へ人手により回転する。蓋３は停止凸部３ｃ，３ｃが容器２の外表面に当接し、（Ａ）の位置で回転を制限されて停止する。
【００２２】
この回転操作において、付勢筒６の付勢突起６ｃが支持部２ａに固定されてコイルスプリング７の後端端部が回転せず、筒状部３ａ内に固定された固定係止部材５が蓋３とともに回転してコイルスプリング７の先端端部が回転し、コイルスプリング７の両端間に歪応力が追加され、付勢力が増加する。蓋３が（Ａ）の位置に回転してくると同時に、係止凸部３ｂは係止部材４の付勢力に逆らってあるいは部材を弾性変形させて係止部材４の溝に嵌め込まれる。その結果、蓋３はコイルスプリング７が追加された歪応力すなわち増加した付勢力を保持した状態で図２の（Ａ）の位置に保持され、容器２の開口部２ｂを覆って閉じた状態となる。
【００２３】
つぎに、図２の（Ａ）の閉じた状態において、人手により係止部材４を付勢力に抗して移動させる。その結果、蓋３の係止凸部３ｂの係止状態が開放され、コイルスプリング７の付勢力により、蓋３が自動的に開く方向へ、すなわち図２では（Ｂ）の位置まで時計方向へ回転し、残余の付勢力により容器２の開口部２ｂを開いた状態となる。
【００２４】
図１に示す彫刻刀を収納した状態の彫刻刀収納容器１から彫刻刀を取出して工芸を開始する場合は、係止部材４を操作することにより蓋３が自動的に回転して容器２の開口部２ｂを開き、彫刻刀の出し入れが可能になる。また、図２の（Ｂ）の蓋３の先端を支持部として机上等に置くことにより、容器２の開口部２ｂが斜め上向きに開口し、彫刻刀の引出しが容易になる。また、（Ｂ）の状態で蓋３に開く方向の付勢力が作用していることにより、蓋３が支持部として安定する。工芸を終了して容器２内に彫刻刀を収納した後は、図２の（Ｂ）から（Ａ）へ蓋３を回転して容器２の開口部２ｂを閉じ、係止凸部３ｂを係止部材４へ係止させる。
【００２５】
以上の実施例において、付勢構成部材が２組装着されている場合を示したが、充分な付勢力が得られるようコイルスプリング７の弾性力を選択することにより、１組の付勢構成部材により構成しても良い。また、係止部材４が一方の支持部２ａの元部に設けられている場合を示したが、両方の支持部２ａの元部に設けて構成しても良い。
【図面の簡単な説明】
【００２６】
【図１】本考案による彫刻刀収納容器を示す斜視図である。
【図２】図１の彫刻刀収納容器において、蓋の側辺に沿って切断した場合を示す側部断面図であり、（Ａ）は蓋を閉じた状態を示し、（Ｂ）は蓋を開いた状態を示している。
【図３】図１の蓋において、一部を断面とした平面図である。
【符号の説明】
【００２７】
１      彫刻刀収納容器
２      容器
２ａ    支持部
２ｂ    開口部
３      蓋
３ａ    筒状部
３ｂ    係止凸部
３ｃ    停止凸部
３ｃ    停止凸部
４      係止部材
４ａ    安全ストッパー
５      固定係止部材
５ａ    受け座
５ｂ    係止突起
６      付勢筒
６ａ    受け座
６ｂ    係止突起
６ｃ    付勢突起
７      コイルスプリング
【図１】
0003106539.tif 000003
【図２】
0003106539.tif 000004
【図３】
0003106539.tif 000005